(57)【要約】【課題】本発明は、吹出し方向を上方にし、気流が部屋全体を均一に循環することにより、加湿空気清浄空気の集じん効率の向上することができるものである。【解決手段】そしてこの目的を達成するために本発明は、本体ケース３内に設けられた空気清浄手段とを備え、送風手段１２は、スクロール形状のケーシング部１３と、ケーシング部１３に固定されたモータ部１４と、モータ部１４によって回転する羽根部１５とから形成し、ケーシング部１３の舌部１６の曲面端点と、羽根部１５外形との接線とを結んだ直線よりも外側に排気口２の端を備え、送風手段１２から排気口２とを連通させると共に、風路を拡大させる送風路１７を備え、送風路１７に整流手段１８を備え、整流手段１８は、正面視において、ケーシング部１３の舌部１６側の壁に近づくほど、整流手段１８の間隔が短くなるように備えたものである。【選択図】図２
2013213631.tif 000002
【特許請求の範囲】
【請求項１】
前面下部に備えた吸気口と、上部に備えた排気口を有する本体ケースと、前記排気口に格子と、その格子の上方にルーバーと、前記本体ケース内に設けられた空気清浄手段とを備え、前記吸気口から前記本体ケース内に吸気した空気を前記空気清浄手段を介して前記排気口へと送風する送風手段を設け、この送風手段を前記空気清浄手段の風路下流側に備え、前記送風手段は、スクロール形状のケーシング部と、このケーシング部に固定されたモータ部と、このモータ部によって回転する羽根部とから形成し、前記ケーシング部の舌部の曲面端点と、前記羽根部外形との接線とを結んだ直線よりも外側に前記排気口の端を備え、前記送風手段から前記排気口とを連通させると共に、風路を拡大させる送風路を備え、この送風路に整流手段を備え、この整流手段は、正面視において、前記ケーシング部の前記舌部側の壁に近づくほど、前記整流手段の間隔が短くなるように備えた空気清浄装置。
【請求項２】
整流手段は、排気口の格子よりも長く、設置面に対して垂直に備えた請求項１記載の空気清浄装置。
【発明の詳細な説明】
【技術分野】
【０００１】
本発明は、空気を浄化することのできる空気清浄装置に関する。
【背景技術】
【０００２】
従来のこの種の空気清浄装置の構成は以下のようになっていた。
【０００３】
すなわち、前面下部に備えた吸気口と、上部に備えた排気口を有する本体ケースと、排気口に格子と、その格子の上方にルーバーと、本体ケース内に設けられた空気清浄手段とを備え、吸気口から本体ケース内に吸気した空気を空気清浄手段を介して排気口へと送風する送風手段を設け、この送風手段を空気清浄手段の風路下流側に備え、送風手段は、スクロール形状のケーシング部と、このケーシング部に固定されたモータ部と、このモータ部によって回転する羽根部とから形成した構成となっていた。
【先行技術文献】
【特許文献】
【０００４】
【特許文献１】特開昭６３−１０４６２６号公報
【発明の概要】
【発明が解決しようとする課題】
【０００５】
上記従来例における課題は、集じん効率のさらなる向上ということであった。
【０００６】
すなわち、従来の物においては、送風手段によって吸気口から吸込まれた室内空気を、空気清浄手段を介し、排気口より室内に送風され、部屋の中を循環し、吸込口から吸込まれる。ここで、ケーシング部の舌部から本体ケースの排気口までの距離が小さいため、排気口からの吹出し方向が、本体ケースにおける左右一方側面側へ傾いている。これにより、気流が偏って部屋を循環し、効率良く部屋全体を均一に清浄できないという課題があった。
【０００７】
そこで本発明は、吹出し方向を上方にし、気流が部屋全体を均一に循環することにより、加湿空気清浄空気の集じん効率の向上を目的とするものである。
【課題を解決するための手段】
【０００８】
そしてこの目的を達成するために本発明は、前面下部に備えた吸気口と、上部に備えた排気口を有する本体ケースと、前記排気口に格子と、その格子の上方にルーバーと、前記本体ケース内に設けられた空気清浄手段とを備え、前記吸気口から前記本体ケース内に吸気した空気を前記空気清浄手段を介して前記排気口へと送風する送風手段を設け、この送風手段を前記空気清浄手段の風路下流側に備え、前記送風手段は、スクロール形状のケーシング部と、このケーシング部に固定されたモータ部と、このモータ部によって回転する羽根部とから形成し、前記ケーシング部の舌部の曲面端点と、前記羽根部外形との接線とを結んだ直線よりも外側に前記排気口の端を備え、前記送風手段から前記排気口とを連通させると共に、風路を拡大させる送風路を備え、この送風路に整流手段を備え、この整流手段は、正面視において、前記ケーシング部の前記舌部側の壁に近づくほど、前記整流手段の間隔が短くなるように備えたものであり、これにより、初期の目的を達成するものである。
【発明の効果】
【０００９】
以上のように本発明は、前面下部に備えた吸気口と、上部に備えた排気口を有する本体ケースと、前記排気口に格子と、その格子の上方にルーバーと、前記本体ケース内に設けられた空気清浄手段とを備え、前記吸気口から前記本体ケース内に吸気した空気を前記空気清浄手段を介して前記排気口へと送風する送風手段を設け、この送風手段を前記空気清浄手段の風路下流側に備え、前記送風手段は、スクロール形状のケーシング部と、このケーシング部に固定されたモータ部と、このモータ部によって回転する羽根部とから形成し、前記ケーシング部の舌部の曲面端点と、前記羽根部外形との接線とを結んだ直線よりも外側に前記排気口の端を備え、前記送風手段から前記排気口とを連通させると共に、風路を拡大させる送風路を備え、この送風路に整流手段を備え、この整流手段は、正面視において、前記ケーシング部の前記舌部側の壁に近づくほど、前記整流手段の間隔が短くなるように備えたことにより、吹出し方向を上方にし、気流が部屋全体を均一に循環することにより、空気清浄空気の集じん効率の向上できるものである。
【００１０】
すなわち、ケーシング部の舌部の曲面端点と、羽根部外形との接線とを結んだ直線よりも外側に排気口の端を備え、送風手段から排気口とを連通させると共に、風路を拡大させる送風路を備え、この送風路に整流手段を備え、この整流手段は、正面視において、前記ケーシング部の舌部側の壁に近づくほど、整流手段の間隔が短くなるように備えたものである。
【００１１】
これによってケーシング部の舌部から本体ケースの排気口までの距離が小さくても、吹出し方向を上方にし、気流が部屋全体を均一に循環することにより、空気清浄空気の集じん効率の向上できるものである。
【図面の簡単な説明】
【００１２】
【図１】本発明の実施の形態１の空気清浄装置の斜視図
【図２】同実施の形態１の空気清浄装置の断面図
【図３】同実施の形態１の送風手段の正面図
【発明を実施するための形態】
【００１３】
以下、本実施形態を添付図面を用いて説明する。
【００１４】
（実施の形態１）
図１、図２および図３に示すように、本実施形態の空気清浄装置は、吸気口１と排気口２を有する本体ケース３と、この本体ケース３内に設けられた空気清浄手段と加湿手段とを備えている。本体ケース３の前面下部には吸気口１を設け、本体ケース３の天面には排気口２を備えている。排気口２に格子４を設け、格子４の上方にルーバー５を備えている。
【００１５】
空気清浄手段は蛇腹状に折られた濾材を額縁状の枠に固定された空気清浄フィルター６であり、吸気口１の近傍に設けられている。本体ケース３の吸気口１から吸い込まれた空気はまず、空気清浄フィルター６に流れ込むこととなる。
【００１６】
加湿手段は放湿部分と、この放湿部分を回転させる回転手段とから形成されている。
【００１７】
放湿部分は円板状の加湿フィルター７と、この加湿フィルター７を固定し回転自在に設けられた加湿フィルター枠８とから形成している。
【００１８】
加湿フィルター７は水を吸水する性質を持っており、水を吸水した状態で加湿フィルター７に空気が通過することにより、水が気化し、高湿度の空気を排気口２から部屋中に吐出するものである。
【００１９】
加湿フィルター枠８は、加湿フィルター７を挟み込んで固定するものである。また、加湿フィルター枠８は、水供給部分と放湿部分とを備えている。
【００２０】
水供給部分は、加湿フィルター７の下部には略椀状の水槽９を設け、この水槽９に一定の水を供給する水タンク１０を備えている。加湿フィルター７の一部は水槽９に供給された水に常時浸るように加湿フィルター枠８を設置し、加湿フィルター７を回転させる回転手段である電動機１１を設けている。
【００２１】
送風手段１２は、スクロール形状のケーシング部１３と、このケーシング部１３に固定されたモータ部１４と、このモータ部１４によって回転する羽根部１５を備えている。
【００２２】
送風手段１２によって吸気口１から本体ケース３内に吸気した空気は空気清浄手段である空気清浄フィルター６、放湿部分である加湿フィルター７を順次介して排気口２へと送風される。この送風手段１２を加湿フィルター７の空気の流れ方向における風路下流側に備えたものである。
【００２３】
このような構成における空気清浄および、加湿動作について説明する。水タンク１０より水槽９に常時に一定の水位となるように水が供給される。この水に放湿部分である加湿フィルター７の一部が常時浸った状態となる。ここで回転手段である電動機１１によって、加湿フィルター７が回転し、加湿フィルター７を湿らせるという動作となっている。
【００２４】
本実施形態における特徴は、ケーシング部１３の舌部１６の曲面端点と、羽根部１５の外形との接線とを結んだ直線よりも外側に排気口２の端を備え、送風手段１２から排気口２とを連通させると共に、風路を拡大させる送風路１７を備え、この送風路１７に整流手段１８を備え、この整流手段１８は、正面視において、ケーシング部１３の舌部１６側の壁に近づくほど、整流手段１８の間隔が短くなるように備えたものである。
【００２５】
すなわち、ケーシング部１３の舌部１６の曲面端点と、羽根部１５の外形との接線とを結んだ直線よりも外側に排気口２の端を備え、送風手段１２から排気口２とを連通させると共に、風路を拡大させる送風路１７を備え、この送風路１７に整流手段１８を備え、この整流手段１８は、正面視において、ケーシング部１３の舌部１６側の壁に近づくほど、整流手段１８の間隔が短くなるように備えたものである。
【００２６】
これによってケーシング部１３の舌部１６から本体ケース３の排気口２までの距離が小さくても、吹出し方向を上方にし、気流が部屋全体を均一に循環することにより、空気清浄空気の集じん効率の向上できるものである。
【００２７】
ここで、排気口２の一方の横の位置は、ケーシング部１３の舌部１６と羽根部１５との接線上よりも外側に供えたものである。また、整流手段１８は板状であり、排気短手方向に備えたものであり、正面氏において、ケーシング部１３の舌部１６側の壁に近づくほど、整流手段１８の間隔が短くなるように備えたものである。
【００２８】
また、整流手段１８は、排気口２の格子４よりも長く、設置面に対して垂直に備えたものである。
【００２９】
これによって、整流手段１８の間隔が短くなるように備えたものである。
【００３０】
これによってケーシング部１３の舌部１６から本体ケース３の排気口２までの距離が小さくても、吹出し方向を上方にし、気流が部屋全体を均一に循環することにより、空気清浄空気の集じん効率の向上できるものである。
【産業上の利用可能性】
【００３１】
以上のように本発明は、前面下部に備えた吸気口と、上部に備えた排気口を有する本体ケースと、前記排気口に格子と、その格子の上方にルーバーと、前記本体ケース内に設けられた空気清浄手段とを備え、前記吸気口から前記本体ケース内に吸気した空気を前記空気清浄手段を介して前記排気口へと送風する送風手段を設け、この送風手段を前記空気清浄手段の風路下流側に備え、前記送風手段は、スクロール形状のケーシング部と、このケーシング部に固定されたモータ部と、このモータ部によって回転する羽根部とから形成し、前記ケーシング部の舌部の曲面端点と、前記羽根部外形との接線とを結んだ直線よりも外側に前記排気口の端を備え、前記送風手段から前記排気口とを連通させると共に、風路を拡大させる送風路を備え、この送風路に整流手段を備え、この整流手段は、正面視において、前記ケーシング部の前記舌部側の壁に近づくほど、前記整流手段の間隔が短くなるように備えたことにより、吹出し方向を上方にし、気流が部屋全体を均一に循環することにより、空気清浄空気の集じん効率の向上できるものである。
【００３２】
すなわち、ケーシング部の舌部の曲面端点と、羽根部外形との接線とを結んだ直線よりも外側に排気口の端を備え、送風手段から排気口とを連通させると共に、風路を拡大させる送風路を備え、この送風路に整流手段を備え、この整流手段は、正面視において、前記ケーシング部の舌部側の壁に近づくほど、整流手段の間隔が短くなるように備えたものである。
【００３３】
これによってケーシング部の舌部から本体ケースの排気口までの距離が小さくても、吹出し方向を上方にし、気流が部屋全体を均一に循環することにより、空気清浄空気の集じん効率の向上できるものである。
【００３４】
従って、家庭用や事務所用などの、空気清浄装置として活用が期待されるものである。
【符号の説明】
【００３５】
１    吸気口
２    排気口
３    本体ケース
４    格子
５    ルーバー
６    空気清浄フィルター
７    加湿フィルター
８    加湿フィルター枠
９    水槽
１０  水タンク
１１  電動機
１２  送風手段
１３  ケーシング部
１４  モータ部
１５  羽根部
１６  舌部
１７  送風路
１８  整流手段
【図１】
2013213631.tif 000003
【図２】
2013213631.tif 000004
【図３】
2013213631.tif 000005